(57)【要約】【課題】ファンの吸込口を形成するベルマウスを回動操作で着脱可能にしてファンの掃除性を向上させた換気装置を提供する。【解決手段】本体７のフレーム６に設けたファン１の着脱用の開口８の前面周辺部９に回動して取り付けられる取付部１０を有し、ファン１の径より小径の吸込口１１を形成したベルマウス１２とを備え、ベルマウス１２の取付部１０の表面に回動操作時の滑り止め部１３を設け、ベルマウス１２とフレーム６間に回動操作によりベルマウス１２が着脱できるように、ベルマウス１２に設けた爪１７と、フレーム６に設けた係合孔２１とにより形成される着脱手段２２を設ける構成とする。【選択図】  図１
2004169967.tif 000002
【特許請求の範囲】
【請求項１】
ファンを取り付けたファンモータを有し、壁部等に設けた換気口に配設される形状で、室内側に壁部等に取り付けるフレームを設けた本体と、この本体のフレームに設けたファンの着脱用の開口の前面周辺部に回動して取り付けられる取付部を有し、前記ファンの径より小径の吸込口を形成したベルマウスとを備え、前記ベルマウスと前記フレーム間に回動操作により前記ベルマウスを着脱できる着脱手段を設けた換気装置。
【請求項２】
プロペラファンを取り付けたファンモータを有し、壁部等に設けた換気口に配設される形状で、室内側に壁部等に取り付けるフレームを設けた本体と、この本体のフレームに設けたプロペラファンの着脱用の開口の前面周辺部に回動して取り付けられる取付部を有したオリフィスとを備え、前記オリフィスと前記フレーム間に回動操作により前記オリフィスを着脱できる着脱手段を設けた換気装置。
【請求項３】
ベルマウスまたはオリフィスの取付部の表面に回動操作時の滑り止め部を設け、前記滑り止め部が設けられる取付部の部分を、滑り止め部を押圧することにより弾性変形する薄肉部で形成した請求項１または２記載の換気装置。
【請求項４】
ベルマウスまたはオリフィスの取付部の表面に回動操作時の滑り止め部を設け、前記滑り止め部の背面側に対向するフレームの前面周辺部に、前記滑り止め部を押圧することにより前記取付部が弾性変形可能となる凹状部を設けた請求項１または２記載の換気装置。
【発明の詳細な説明】
【０００１】
【発明の属する技術分野】
本発明は、壁部等に設けた換気口に配設される形状で内部にファンを取り付けたファンモータを有し、室内側に着脱可能なベルマウスまたはオリフィスを設けた換気装置に関する。
【０００２】
【従来の技術】
従来の換気装置の一例としたパイプ用換気扇は、壁部に設けられる換気扇取付孔に嵌挿される形状で屋内壁に取り付けられる取付部を設けたパイプと、このパイプ内に装着される形状でファンモータを有し、一端にパイプの取付部に一体的に結合できる結合部を有した換気扇本体とを設けている（例えば、特許文献１参照。）。
【０００３】
【特許文献１】
特開２０００−２７４７６０号公報（［００１３］、第１図、および第２図）
【０００４】
【発明が解決しようとする課題】
このような従来の換気装置の構成では、ファンの吸込口を形成するベルマウスに相当する結合部が換気扇本体に一体的に設けられていることにより、長時間の使用により室内の埃がファンに付着して所望の換気性能を発揮できないような場合にファンを掃除しようとしてもベルマウスが邪魔になりお手入れの妨げとなっているという課題があった。
【０００５】
本発明は、上記課題を解決するもので、ファンの吸込口を形成するベルマウスまたはオリフィスを回動操作により着脱可能にしてファンの掃除が容易にできる換気装置を提供することを目的とする。
【０００６】
【課題を解決するための手段】
前記従来の課題を解決するために、本発明の換気装置は、ファンを取り付けたファンモータを有し、壁部等に設けた換気口に配設される形状で、室内側に壁部等に取り付けるフレームを設けた本体と、この本体のフレームに設けたファンの着脱用の開口の前面周辺部に回動して取り付けられる取付部を有し、前記ファンの径より小径の吸込口を形成したベルマウスとを備え、前記ベルマウスと前記フレーム間に回動操作により前記ベルマウスを着脱できる着脱手段を設けたことを特徴としたものである。
【０００７】
また、本発明の換気装置は、プロペラファンを取り付けたファンモータを有し、壁部等に設けた換気口に配設される形状で、室内側に壁部等に取り付けるフレームを設けた本体と、この本体のフレームに設けたプロペラファンの着脱用の開口の前面周辺部に回動して取り付けられる取付部を有したオリフィスとを備え、前記オリフィスと前記フレーム間に回動操作により前記オリフィスを着脱できる着脱手段を設けたことを特徴としたものである。
【０００８】
また、本発明の換気装置は、ベルマウスまたはオリフィスの取付部の表面に回動操作時の滑り止め部を設け、前記滑り止め部が設けられる取付部の部分を、滑り止め部を押圧することにより弾性変形する薄肉部で形成したことを特徴としたものである。
【０００９】
また、本発明の換気装置は、ベルマウスまたはオリフィスの取付部の表面に回動操作時の滑り止め部を設け、前記滑り止め部の背面側に対向するフレームの前面周辺部に、前記滑り止め部を押圧することにより前記取付部が弾性変形可能となる凹状部を設けたことを特徴としたものである。
【００１０】
【発明の実施の形態】
請求項１記載の換気装置の発明は、ファンを取り付けたファンモータを有し、壁部等に設けた換気口に配設される形状で、室内側に壁部等に取り付けるフレームを設けた本体と、この本体のフレームに設けたファンの着脱用の開口の前面周辺部に回動して取り付けられる取付部を有し、前記ファンの径より小径の吸込口を形成したベルマウスとを備え、前記ベルマウスと前記フレーム間に回動操作により前記ベルマウスを着脱できる着脱手段を設けたので、ベルマウスに指先を当てがい押圧しながら所定範囲回動させることにより、着脱手段を介してベルマウスがフレームより着脱され、本体に設けたファンを着脱することが可能となりファンの掃除が容易にできるという作用を有する。
【００１１】
請求項２記載の換気装置の発明は、プロペラファンを取り付けたファンモータを有し、壁部等に設けた換気口に配設される形状で、室内側に壁部等に取り付けるフレームを設けた本体と、この本体のフレームに設けたプロペラファンの着脱用の開口の前面周辺部に回動して取り付けられる取付部を有したオリフィスとを備え、前記オリフィスと前記フレーム間に回動操作により前記オリフィスを着脱できる着脱手段を設けたので、オリフィスに指先を当てがい押圧しながら所定範囲回動させることにより、着脱手段を介してオリフィスがフレームより着脱され、本体に設けたファンを着脱することが可能となりプロペラファンの掃除が容易にできるという作用を有する。
【００１２】
請求項３記載の換気装置の発明は、特に請求項１または２記載の換気装置において、ベルマウスまたはオリフィスの取付部の表面に回動操作時の滑り止め部を設け、前記滑り止め部が設けられる取付部の部分を、滑り止め部を押圧することにより弾性変形する薄肉部で形成したので、ベルマウスまたはオリフィスを取り外すとき、滑り止め部を押圧することにより、ベルマウスまたはオリフィスが弓状に弾性変形し、摩擦が少なくなり容易にベルマウスまたはオリフィスを回動させることができるため、その着脱作業がスムーズに行うことができるという作用を有する。
【００１３】
請求項４記載の換気装置の発明は、特に請求項１または２記載の換気装置において、ベルマウスまたはオリフィスの取付部の表面に回動操作時の滑り止め部を設け、前記滑り止め部の背面側に対向するフレームの前面周辺部に、前記滑り止め部を押圧することにより前記取付部が弾性変形可能となる凹状部を設けたので、ベルマウスまたはオリフィスの強度を低下させることなくその着脱作業がスムーズに行うことができるという作用を有する。
【００１４】
以下、本発明の実施の形態について、図１〜図４を参照しながら説明する。
【００１５】
（実施の形態１）
図１〜図３に示すように、ファン１を取り付けたファンモータ２を有し、壁部３等にパイプ４を埋設して形成された換気口５に配設される形状で室内側に壁部３等に取り付けるフレーム６を設けた本体７と、本体７のフレーム６に設けたファン１の着脱用の開口８の前面周辺部９に回動して取り付けられる取付部１０を有し、ファン１の径より小径の吸込口１１を形成したベルマウス１２を設け、ベルマウス１２の表面のほぼ対称位置に凹凸状で回動操作時に両手の指をあてがい回動操作できる滑り止め部１３を設け、滑り止め部１３の設けられる取付部１０の所定範囲の部分を滑り止め部１３を押圧することにより弾性変形する薄肉部１４で形成する。
【００１６】
また、ベルマウス１２の取付部１０に設けた滑り止め部１３の背面側と対向するフレーム６の前面周辺部９に、滑り止め部１３を押圧することによりベルマウス１２の取付部１０が弾性変形可能となる凹状部１５を所定範囲に設ける。
【００１７】
そして、ベルマウス１２の外周には、外方に突出する形状で係合面１６を有したＬ字状の爪１７を、ほぼ対称位置に複数個設け、フレーム６の前面にはベルマウス１２に設けた爪１７が嵌挿する嵌挿部１８と、嵌挿部１８と連通し爪１７が所定範囲回動したときに爪１７の係合面１６が係合する係合部１９を形成するように嵌挿部１８より小幅で円周方向に形成される長溝２０を設け、爪１７の係合孔２１を形成し、爪１７と係合孔２１により着脱手段２２を形成し構成する。
【００１８】
滑り止め部１３は、指先または指の腹の部分のみで回動可能なようにベルマウス１２の前面に周方向に連続して複数個並設される凹凸部により形成されるものでもよい。
【００１９】
上記構成において、ベルマウス１２をフレーム６に取り付けるときには、ベルマウス１２に設けた爪１７をフレーム６に設けた係合孔２１の嵌挿部１８に嵌挿し、長溝２０に沿い時計方向に所定範囲回動するようにベルマウス１２の表面に設けた滑り止め部１３に両手の指先をあてがいベルマウス１２を薄肉部１４またはフレーム６に設けた凹状部１５により弾性変形させながらベルマウス１２を回動することによって爪１７の係合面１６がフレーム６側の係合部１９に係合し、ベルマウス１２は爪１７と係合孔２１により形成される着脱手段２２により取り付けられる。
【００２０】
そして、壁部３の換気口５に配設された換気装置を運転すると、ファンモータ２により回転するファン１によってベルマウス１２の吸込口１１より室内の汚染空気が吸い込まれ、吸い込まれた空気はファン１の中央部に案内されファン１に吸気されたのち、室外に向けて排出し換気が行われる。
【００２１】
次に、ファン１を掃除するときには、ベルマウス１２に設けた滑り止め部１３に両手の指先をあてがいベルマウス１２を押圧し、ベルマウス１２を薄肉部１４またはフレーム６に設けた凹状部１５により弾性変形させながらベルマウス１２を反時計方向に回動させ、この回動操作によりベルマウス１２に設けた爪１７の係合面１６がフレーム６側に設けられた係合孔２１の係合部１９より離脱するように長溝２０に沿い移動し、爪１７が係合孔２１の嵌挿部１８に移動することにより着脱手段２２の爪１７と係合孔２１の係合が断たれ、ベルマウス１２は、フレーム６より取り外すことができ、本体７に設けたファンモータ２に取り付けたファン１をファン１の着脱用の開口８より取り出し、ファン１を掃除することができる。
【００２２】
なお、Ｌ字状の爪１７は、ベルマウス１２の外周に設けられ外方に突出する形状のほかに、ベルマウスが回動する周方向にその先端が向くような形状であって、ベルマウスを所定距離回動させると爪の係合面が嵌挿部に至り、爪とフレームの前面周辺部との係合が解除されるような構成でもよく、その作用効果に差異はない。
【００２３】
このように本発明の実施の形態１の換気装置によれば、ファン１を取り付けたファンモータ２を有し、壁部３等に設けた換気口５に配設される形状で室内側に壁部３等に取り付けるフレーム６を設けた本体７と、この本体７のフレーム６に設けたファン１の着脱用の開口８の前面周辺部９に回動して取り付けられる取付部１０を有し、ファン１の径より小径の吸込口１１を形成したベルマウス１２とを備え、ベルマウス１２の取付部１０の表面に回動操作時の滑り止め部１３を設け、ベルマウス１２とフレーム６間に回動操作によりベルマウス１２が着脱できるようにベルマウス１２に爪１７を設け、フレーム６に爪１７の係合する係合孔２１を設け、爪１７と係合孔２１よりなる着脱手段２２を設けたので、ファン１の径より小径の吸込口１１を設けたベルマウス１２の奥側に位置しているファン１の掃除をするためにベルマウス１２をフレーム６より取り外すときには、ベルマウス１２の表面に設けた滑り止め部１３に両手の指先をあてがい所定範囲回動することによりベルマウス１２に設けた爪１７とフレーム６に設けた係合孔２１により形成された着脱手段２２による取り付けが断たれてベルマウス１２が取り外されることにより、ファン１を取り出して容易にファン１を掃除することができる換気装置が得られる。
【００２４】
また、ベルマウス１２の滑り止め部１３の設けられる取付部１０の部分を滑り止め部１３を指先で押圧することにより弾性変形する薄肉部１４で形成したので、ベルマウス１２を取り外すとき、ベルマウス１２の滑り止め部１３を押圧することにより、ベルマウス１２が弾性変形してたわみ、ベルマウス１２の爪１７とフレーム６との間に隙間ができ、摩擦が少なくなり容易にベルマウス１２を回動して取り外すことができ、また取り付けることができる。
【００２５】
そして、メンテナンス時にベルマウス１２を取り外すのは高所作業となるため、より小さな力で作業を行うことができ、作業性が向上できる。
【００２６】
また、ベルマウス１２の取付部１０に設けた滑り止め部１３の背面側に対向するフレーム６の前面周辺部９に、滑り止め部１３を押圧することによりベルマウス１２の取付部１０が弾性変形可能となる凹状部１５を設けたので、ベルマウス１２の強度を低下させることなく容易にベルマウス１２を着脱することができる。
【００２７】
（実施の形態２）
図４に示すように、プロペラファン２３を取り付けたファンモータ２を有し、壁部３等にパイプ４を埋設して形成された換気口５に配設される形状で室内側に壁部３等に取り付けるフレーム６を設けた本体７と、本体７のフレーム６に設けたプロペラファン２３の着脱用の開口８の前面周辺部に回動して取り付けられる取付部１０を有し、プロペラファン２３の径より大径の吸込口１１Ａを形成したオリフィス１２Ａを設け、オリフィス１２Ａの表面のほぼ対称位置に凹凸状で回動操作時に両手の指をあてがい回動操作できる滑り止め部を設け、滑り止め部の設けられる取付部の所定範囲の部分を滑り止め部を押圧することにより弾性変形する薄肉部で形成する。
【００２８】
また、オリフィス１２Ａの取付部に設けた滑り止め部の背面側と対向するフレーム６の前面周辺部に、滑り止め部を押圧することによりオリフィス１２Ａの取付部が弾性変形可能となる凹状部を所定範囲に設ける。
【００２９】
そして、オリフィス１２Ａの外周には、外方に突出する形状で係合面を有したＬ字状の爪を、ほぼ対称位置に複数個設け、フレーム６の前面にはオリフィス１２Ａに設けた爪が嵌挿する嵌挿部と、この嵌挿部と連通し爪が所定範囲回動したときに爪の係合面が係合する係合部を形成するように嵌挿部より小幅で円周方向に形成される長溝を設け、爪の係合孔を形成し、爪と係合孔により着脱手段を形成し構成する。
【００３０】
なお、オリフィス１２Ａと実施の形態１のベルマウス１２との違いは、その吸込口の径の大きさが異なるものであり、オリフィス１２Ａを回動操作するためのその他の各構成要素については実施の形態１に記載したものと同一である。
【００３１】
上記構成において、オリフィス１２Ａをフレーム６に取り付けるときには、ベルマウス１２Ａに設けた爪をフレーム６に設けた係合孔の嵌挿部に嵌挿し、長溝に沿い時計方向に所定範囲回動するようにオリフィス１２Ａの表面に設けた滑り止め部に両手の指先をあてがいオリフィス１２Ａを薄肉部またはフレーム６に設けた凹状部により弾性変形させながらオリフィス１２Ａを回動することによって爪の係合面がフレーム６側の係合部に係合し、オリフィス１２Ａは爪と係合孔により形成される着脱手段により取り付けられる。
【００３２】
次に、プロペラファン２３を掃除するときには、オリフィス１２Ａに設けた滑り止め部に両手の指先をあてがいオリフィス１２Ａを押圧し、オリフィス１２Ａを薄肉部またはフレーム６に設けた凹状部により弾性変形させながらオリフィス１２Ａを反時計方向に回動させ、この回動操作によりオリフィス１２Ａに設けた爪の係合面がフレーム６側に設けられた係合孔の係合部より離脱するように長溝に沿い移動し、爪が係合孔の嵌挿部に移動することにより着脱手段の爪と係合孔の係合が断たれ、オリフィス１２Ａは、フレーム６より取り外すことができ、本体７に設けたファンモータ２に取り付けたプロペラファン２３をプロペラファン２３の着脱用の開口８より取り出し、プロペラファン２３を掃除することができる。
【００３３】
なお、Ｌ字状の爪は、オリフィス１２Ａの外周に設けられ外方に突出する形状のほかに、オリフィスが回動する周方向にその先端が向くような形状であって、オリフィスを所定距離回動させると爪の係合面が嵌挿部に至り、爪とフレームの前面周辺部との係合が解除されるような構成でもよく、その作用効果に差異はない。
【００３４】
このように本発明の実施の形態２の換気装置によれば、プロペラファン２３を取り付けたファンモータ２を有し、壁部３等に設けた換気口５に配設される形状で室内側に壁部３等に取り付けるフレーム６を設けた本体７と、この本体７のフレーム６に設けたプロペラファン２３の着脱用の開口８の前面周辺部に回動して取り付けられる取付部を有し、プロペラファン２３の径より小径の吸込口１１を形成したオリフィス１２Ａとを備え、オリフィス１２Ａの取付部の表面に回動操作時の滑り止め部を設け、オリフィス１２Ａとフレーム６間に回動操作によりオリフィス１２Ａが着脱できるようにオリフィス１２Ａに爪を設け、フレーム６に爪の係合する係合孔を設け、爪と係合孔よりなる着脱手段を設けたので、プロペラファン２３の径より小径の吸込口１１を設けたオリフィス１２Ａの奥側に位置しているプロペラファン２３の掃除をするためにオリフィス１２Ａをフレーム６より取り外すときには、オリフィス１２Ａの表面に設けた滑り止め部に両手の指先をあてがい所定範囲回動することによりオリフィス１２Ａに設けた爪とフレーム６に設けた係合孔により形成された着脱手段による取り付けが断たれてオリフィス１２Ａが取り外されることにより、プロペラファン２３を取り出して容易にプロペラファン２３を掃除することができる換気装置が得られる。
【００３５】
【発明の効果】
以上の実施例から明らかなように、本発明の換気装置によれば、本体のフレームに設けたファンの着脱用の開口の前面周辺部に回動して取り付けられる取付部を有し、前記ファンの径より小径の吸込口を形成したベルマウスとを備え、前記ベルマウスと前記フレーム間に回動操作により前記ベルマウスを着脱できる着脱手段を設けたので、簡単な回動操作でベルマウスを着脱することができ、ファンの掃除を容易にすることができる換気装置を提供できる。
【００３６】
また、プロペラファンを取り付けたファンモータを有し、壁部等に設けた換気口に配設される形状で、室内側に壁部等に取り付けるフレームを設けた本体と、この本体のフレームに設けたプロペラファンの着脱用の開口の前面周辺部に回動して取り付けられる取付部を有したオリフィスとを備え、前記オリフィスと前記フレーム間に回動操作により前記オリフィスを着脱できる着脱手段を設けたので、着脱手段を介してオリフィスがフレームより着脱され、本体に設けたプロペラファンを着脱することが可能となりファンの掃除が容易にできる換気装置を提供できる。
【００３７】
また、ベルマウスまたはオリフィスの取付部の表面に回動操作時の滑り止め部を設け、前記滑り止め部が設けられる取付部の部分を、滑り止め部を押圧することにより弾性変形する薄肉部で形成したので、ベルマウスまたはオリフィスとフレームと間の摩擦抵抗が減少し、ベルマウスまたはオリフィスの回動操作が軽くなり容易に着脱することができる。
【００３８】
また、ベルマウスまたはオリフィスの取付部の表面に回動操作時の滑り止め部を設け、前記滑り止め部の背面側に対向するフレームの前面周辺部に、前記滑り止め部を押圧することにより前記取付部が弾性変形可能となる凹状部を設けたので、ベルマウスまたはオリフィスの強度を低下することなく着脱操作性が向上する。
【図面の簡単な説明】
【図１】本発明の実施の形態１の換気装置の分解斜視図
【図２】同換気装置を壁部に取り付けた状態を示す断面図
【図３】同換気装置のベルマウスを取り外し時の状態を示す分解断面図
【図４】本発明の実施の形態２の換気装置を壁部に取り付けた状態を示す断面図
【符号の説明】
１        ファン
２        ファンモータ
３        壁部
５        換気口
６        フレーム
７        本体
８        開口
９        前面周辺部
１０      取付部
１１      吸込口
１２      ベルマウス
１２Ａ    オリフィス
１３      滑り止め部
１４      薄肉部
１５      凹状部
２２      着脱手段
２３      プロペラファン
【図１】
2004169967.tif 000003
【図２】
2004169967.tif 000004
【図３】
2004169967.tif 000005
【図４】
2004169967.tif 000006